(57)【要約】      （修正有）【課題】表示装置の側面視認性を増加させることができ、表示装置の表示品質を向上させることができる表示装置、及び前記表示装置の駆動方法を提供する。【解決手段】表示パネル駆動装置は、データ駆動部及びゲート駆動部を含む。データ駆動部は、映像データをデータ信号に変換してデータ信号を表示パネルのデータラインに出力する。ゲート駆動部は、フレーム期間の第１サブフレーム期間及び第１サブフレーム期間の次の第２サブフレーム期間の間互いに異なるゲートオン電圧を有するゲート信号を表示パネルのゲートラインに出力する。したがって、表示装置の側面視認性を増加させることができ、これによって、表示装置の表示品質を向上させることができる。【選択図】図３
2016224425.tif 000002
【特許請求の範囲】
【請求項１】
映像データをデータ信号に変換して前記データ信号を表示パネルのデータラインに出力するデータ駆動部と、
フレーム期間の第１サブフレーム期間及び前記第１サブフレーム期間の次の第２サブフレーム期間の間互いに異なるゲートオン電圧を有するゲート信号を前記表示パネルのゲートラインに出力するゲート駆動部と、
を含むことを特徴とする、表示パネル駆動装置。
【請求項２】
前記ゲート駆動部は、前記第１サブフレーム期間の間第１ゲートオン電圧を有するゲート信号を出力し、前記第２サブフレーム期間の間前記第１ゲートオン電圧より低い第２ゲートオン電圧を有するゲート信号を出力することを特徴とする、請求項１に記載の表示パネル駆動装置。
【請求項３】
前記データ駆動部が前記第１サブフレーム期間の間前記データラインに出力する前記データ信号のデータ電圧、及び前記データ駆動部が前記第２サブフレーム期間の間前記データラインに出力する前記データ信号のデータ電圧は同一であることを特徴とする、請求項２に記載の表示パネル駆動装置。
【請求項４】
前記第２サブフレーム期間の間前記表示パネルの画素電極に充電される充電電圧は前記第１サブフレーム期間の間前記画素電極に充電される充電電圧より低いことを特徴とする、請求項３に記載の表示パネル駆動装置。
【請求項５】
前記フレーム期間は前記第２サブフレーム期間の次の第３サブフレーム期間をさらに含み、
前記ゲート駆動部は前記第１サブフレーム期間の間第１ゲートオン電圧を有するゲート信号を出力し、前記第２サブフレーム期間の間前記第１ゲートオン電圧より低い第２ゲートオン電圧を有するゲート信号を出力し、前記第３サブフレーム期間の間前記第２ゲートオン電圧より低い第３ゲートオン電圧を有するゲート信号を出力することを特徴とする、請求項１に記載の表示パネル駆動装置。
【請求項６】
前記データ駆動部が前記第１サブフレーム期間の間前記データラインに出力する前記データ信号のデータ電圧、前記データ駆動部が前記第２サブフレーム期間の間前記データラインに出力する前記データ信号のデータ電圧、及び前記データ駆動部が前記第３サブフレーム期間の間前記データラインに出力する前記データ信号のデータ電圧は同一であることを特徴とする、請求項５に記載の表示パネル駆動装置。
【請求項７】
前記第２サブフレーム期間の間前記表示パネルの画素電極に充電される充電電圧は前記第１サブフレーム期間の間前記画素電極に充電される充電電圧より低く、前記第３サブフレーム期間の間前記表示パネルの画素電極に充電される充電電圧は前記第２サブフレーム期間の間前記画素電極に充電される前記充電電圧より低いことを特徴とする、請求項６に記載の表示パネル駆動装置。
【請求項８】
前記フレーム期間はＮ（Ｎは自然数）個のサブフレーム期間を含み、前記ゲート駆動部は前記Ｎ個のサブフレーム期間の間Ｎ個の互いに異なるゲートオン電圧を有するゲート信号を出力することを特徴とする、請求項１に記載の表示パネル駆動装置。
【請求項９】
フレーム期間の第１サブフレーム期間の間データ信号を表示パネルのデータラインに出力し、
前記第１サブフレーム期間の間第１ゲートオン電圧を有するゲート信号を前記表示パネルのゲートラインに出力し、
前記フレーム期間で前記第１サブフレームの次の第２サブフレーム期間の間前記データ信号を前記データラインに出力し、
前記第２サブフレーム期間の間前記第１ゲートオン電圧と異なる第２ゲートオン電圧を有するゲート信号を前記ゲートラインに出力すること、
を含むことを特徴とする、表示パネル駆動方法。
【請求項１０】
前記第２ゲートオン電圧は前記第１ゲートオン電圧より低く、
前記第２サブフレーム期間の間前記表示パネルの画素電極に充電される充電電圧は前記第１サブフレーム期間の間前記画素電極に充電される充電電圧より低いことを特徴とする、請求項９に記載の表示パネル駆動方法。
【発明の詳細な説明】
【技術分野】
【０００１】
本発明は、表示パネル駆動装置、これを用いた表示パネル駆動方法、及びこれを含む表示装置に関し、より詳しくは、垂直配向モードの表示パネルを駆動する表示パネル駆動装置、これを用いた表示パネル駆動方法、及びこれを含む表示装置に関する。
【背景技術】
【０００２】
液晶表示装置は、液晶表示パネル及び表示パネル駆動装置を含む。
【０００３】
前記液晶表示パネルは、下部基板、上部基板、及び液晶層を含む。前記下部基板は、薄膜トランジスタ及び画素電極を含む。前記上部基板は、共通電極を含む。前記液晶層は前記下部基板及び前記上部基板の間に介され、液晶を含む。前記液晶層に含まれた液晶の配列は、前記画素電極に印加される画素電圧及び前記共通電極に印加される共通電圧により生成された電場により変更される。
【０００４】
前記液晶表示装置のうちの垂直配向モードの液晶表示装置では、前記画素電極及び前記共通電極の間に電場が印加されなければ前記液晶が前記下部基板及び前記上部基板に対して垂直方向に配列され、前記画素電極及び前記共通電極の間に電場が印加されれば前記電場の強さによって前記液晶の配列が変更される。
【０００５】
前記垂直配向モードの液晶表示装置は側面視認性が低く、これによって、液晶表示装置の表示品質が低下する問題点がある。
【発明の概要】
【発明が解決しようとする課題】
【０００６】
ここに、本発明の技術的課題はこのような点で着目したものであって、本発明の目的は、表示装置の表示品質を向上させることができる表示パネル駆動装置を提供することにある。
【０００７】
本発明の更なる目的は、前記表示パネル駆動装置を用いた表示パネル駆動方法を提供することにある。
【０００８】
本発明の更なる他の目的は、前記表示パネル駆動装置を含む表示装置を提供することにある。
【課題を解決するための手段】
【０００９】
前記の本発明の目的を実現するための一実施形態に係る表示パネル駆動装置は、データ駆動部及びゲート駆動部を含む。前記データ駆動部は、映像データをデータ信号に変換して前記データ信号を表示パネルのデータラインに出力する。前記ゲート駆動部は、フレーム期間の第１サブフレーム期間及び前記第１サブフレーム期間の次の第２サブフレーム期間の間互いに異なるゲートオン電圧を有するゲート信号を前記表示パネルのゲートラインに出力する。
【００１０】
本発明の一実施形態において、前記ゲート駆動部は前記第１サブフレーム期間の間第１ゲートオン電圧を有するゲート信号を出力し、前記第２サブフレーム期間の間前記第１ゲートオン電圧より低い第２ゲートオン電圧を有するゲート信号を出力することができる。
【００１１】
本発明の一実施形態において、前記データ駆動部が前記第１サブフレーム期間の間前記データラインに出力する前記データ信号のデータ電圧及び前記データ駆動部が前記第２サブフレーム期間の間前記データラインに出力する前記データ信号のデータ電圧は同一でありうる。
【００１２】
本発明の一実施形態において、前記データ駆動部が前記第１サブフレーム期間の間前記データラインに出力する前記データ信号の前記データ電圧及び前記データ駆動部が前記第２サブフレーム期間の間前記データラインに出力する前記データ信号の前記データ電圧はホワイト階調に相応することができる。
【００１３】
本発明の一実施形態において、前記第２サブフレーム期間の間前記表示パネルの画素電極に充電される充電電圧は、前記第１サブフレーム期間の間前記画素電極に充電される充電電圧より低いことがある。
【００１４】
本発明の一実施形態において、前記表示パネル駆動装置は前記ゲート駆動部に前記第１ゲートオン電圧及び前記第２ゲートオン電圧を提供する電圧提供部をさらに含むことができる。
【００１５】
本発明の一実施形態において、前記ゲート駆動部は前記第１サブフレーム及び前記第２サブフレームを示す選択信号に応答して前記第１ゲートオン電圧及び前記第２ゲートオン電圧のうちの１つを選択する電圧選択部を含むことができる。
【００１６】
本発明の一実施形態において、前記フレーム期間は前記第２サブフレーム期間の次の第３サブフレーム期間をさらに含むことができ、前記ゲート駆動部は前記第１サブフレーム期間の間第１ゲートオン電圧を有するゲート信号を出力することができ、前記第２サブフレーム期間の間前記第１ゲートオン電圧より低い第２ゲートオン電圧を有するゲート信号を出力することができ、前記第３サブフレーム期間の間前記第２ゲートオン電圧より低い第３ゲートオン電圧を有するゲート信号を出力することができる。
【００１７】
本発明の一実施形態において、前記データ駆動部が前記第１サブフレーム期間の間前記データラインに出力する前記データ信号のデータ電圧、前記データ駆動部が前記第２サブフレーム期間の間前記データラインに出力する前記データ信号のデータ電圧、及び前記データ駆動部が前記第３サブフレーム期間の間前記データラインに出力する前記データ信号のデータ電圧は同一でありうる。
【００１８】
本発明の一実施形態において、前記データ駆動部が前記第１サブフレーム期間の間前記データラインに出力する前記データ信号の前記データ電圧、前記データ駆動部が前記第２サブフレーム期間の間前記データラインに出力する前記データ信号の前記データ電圧、及び前記データ駆動部が前記第３サブフレーム期間の間前記データラインに出力する前記データ信号の前記データ電圧はホワイト階調に対応することができる。
【００１９】
本発明の一実施形態において、前記第２サブフレーム期間の間前記表示パネルの画素電極に充電される充電電圧は前記第１サブフレーム期間の間前記画素電極に充電される充電電圧より低いことがあり、前記第３サブフレーム期間の間前記表示パネルの画素電極に充電される充電電圧は前記第２サブフレーム期間の間前記画素電極に充電される前記充電電圧より低いことがある。
【００２０】
本発明の一実施形態において、前記表示パネル駆動装置は、前記ゲート駆動部に前記第１ゲートオン電圧、前記第２ゲートオン電圧、及び前記第３ゲートオン電圧を提供する電圧提供部をさらに含むことができる。
【００２１】
本発明の一実施形態において、前記ゲート駆動部は、前記第１サブフレーム、前記第２サブフレーム、及び前記第３サブフレームを示す選択信号に応答して前記第１ゲートオン電圧、前記第２ゲートオン電圧、及び前記第３ゲートオン電圧のうちの１つを選択する電圧選択部を含むことができる。
【００２２】
本発明の一実施形態において、前記フレーム期間はＮ（Ｎは自然数）個のサブフレーム期間を含むことができ、前記ゲート駆動部は前記Ｎ個のサブフレーム期間の間Ｎ個の互いに異なるゲートオン電圧を有するゲート信号を出力することができる。
【００２３】
前記した本発明の目的を実現するための他の実施形態に係る表示パネル駆動方法は、フレーム期間の第１サブフレーム期間の間データ信号を表示パネルのデータラインに出力するステップ、前記第１サブフレーム期間の間第１ゲートオン電圧を有するゲート信号を前記表示パネルのゲートラインに出力するステップ、前記フレーム期間で前記第１サブフレームの次の第２サブフレーム期間の間前記データ信号を前記データラインに出力するステップ、及び前記第２サブフレーム期間の間前記第１ゲートオン電圧と異なる第２ゲートオン電圧を有するゲート信号を前記ゲートラインに出力するステップを含む。
【００２４】
本発明の一実施形態において、前記第２ゲートオン電圧は前記第１ゲートオン電圧より低いことがあり、前記第２サブフレーム期間の間前記表示パネルの画素電極に充電される充電電圧は前記第１サブフレーム期間の間前記画素電極に充電される充電電圧より低いことがある。
【００２５】
本発明の一実施形態において、前記表示パネル駆動方法は、前記フレーム期間で前記第２サブフレームの次の第３サブフレーム期間の間前記データ信号を前記データラインに出力するステップ、及び前記第３サブフレーム期間の間前記第１ゲートオン電圧及び前記第２ゲートオン電圧と異なる第３ゲートオン電圧を有するゲート信号を前記ゲートラインに出力するステップをさらに含むことができる。
【００２６】
本発明の一実施形態において、前記第３ゲートオン電圧は前記第２ゲートオン電圧より低いことがあり、前記第３サブフレーム期間の間前記表示パネルの画素電極に充電される充電電圧は前記第２サブフレーム期間の間前記画素電極に充電される前記充電電圧より低いことがある。
【００２７】
前記した本発明の目的を実現するための更に他の実施形態に係る装置は、表示パネル及び表示パネル駆動装置を含む。前記表示パネルは映像を表示し、ゲートライン及びデータラインを含む。前記表示パネル駆動装置は、前記映像の映像データをデータ信号に変換して前記データ信号を前記データラインに出力するデータ駆動部、及びフレーム期間の第１サブフレーム期間及び前記第１サブフレーム期間の次の第２サブフレーム期間の間互いに異なるゲートオン電圧を有するゲート信号を前記ゲートラインに出力するゲート駆動部を含む。
【００２８】
本発明の一実施形態において、前記フレーム期間はＮ（Ｎは自然数）個のサブフレーム期間を含むことができ、前記ゲート駆動部は前記Ｎ個のサブフレーム期間の間Ｎ個の互いに異なるゲートオン電圧を有するゲート信号を出力することができる。
【００２９】
本発明の一実施形態において、表示パネル駆動装置は、映像データをデータ信号に変換し、前記データ信号を表示パネルのデータラインに出力するデータ駆動部を含む。前記表示パネル駆動装置はまた、フレーム期間のＮ（Ｎは自然数）個のサブフレーム期間の間、前記表示パネルのゲートラインへＮ個の異なるゲートオン電圧を含むゲート信号を出力するゲート駆動部を含む。
【００３０】
本発明の一実施形態において、連続する各ゲートオン電圧は直前のゲートオン電圧よりも低いことがある。本発明の一実施形態において、フレーム期間のＮ個の連続する各サブフレーム期間中、前記データ駆動部から前記データラインへ出力される前記データ信号の各前記データ電圧はホワイト階調に対応する。
【００３１】
本発明の一実施形態において、各進行するゲートオン電圧は直前のゲートオン電圧よりも高い電圧を有する。本発明の一実施形態において、フレーム期間のＮ個の連続する各サブフレーム期間中、前記データ駆動部から前記データラインへ出力される前記データ信号の各前記データ電圧はホワイト階調に隣接した階調に相応する。
【発明の効果】
【００３２】
このような表示パネル駆動装置、これを用いた表示パネル駆動方法、及びこれを含む表示装置によれば、表示装置の側面視認性を増加させることができ、これによって、前記表示装置の表示品質を向上させることができる。
【図面の簡単な説明】
【００３３】
【図１】本発明の一実施形態に係る表示装置を示すブロック図である。
【図２】図１の画素を示す平面図である。
【図３】図１のゲート信号、データ信号、及び図２の画素電極に充電される充電電圧を示すタイミング図である。
【図４】図２の前記画素電極を示す状態図である。
【図５】図１の表示パネル駆動装置により遂行される表示パネル駆動方法を示すフローチャートである。
【図６】本発明の一実施形態に係る表示装置を示すブロック図である。
【図７】図６のゲート信号、データ信号、及び図２の前記画素電極に充電される充電電圧を示すタイミング図である。
【図８】図２の前記画素電極を示す状態図である。
【図９】図６の表示パネル駆動装置により遂行される表示パネル駆動方法を示すフローチャートである。
【発明を実施するための形態】
【００３４】
以下、添付した図面を参照して、本発明の好ましい実施形態をより詳細に説明する。
【００３５】
（実施形態１）
図１は、本発明の一実施形態に係る表示装置を示すブロック図である。
【００３６】
図１を参照すると、本実施形態に係る前記表示装置１００は、表示パネル１１０、ゲート駆動部１３０、データ駆動部１４０、タイミング制御部１５０、電圧提供部１６０、及び光源部１７０を含む。
【００３７】
前記表示パネル１１０は、前記タイミング制御部１５０から提供される映像データ（ＤＡＴＡ）に基づくデータ信号（ＤＳ）を受信して映像を表示する。例えば、前記表示パネル１１０は液晶表示パネルでありうる。したがって、前記表示パネル１１０は薄膜トランジスタ及び画素電極を含む下部基板、共通電極を含む上部基板、及び前記下部基板及び前記上部基板の間に介され、液晶を含む液晶層を含むことができる。具体的に、前記表示パネル１１０は前記画素電極及び前記共通電極の間に電場が印加されなければ前記液晶が前記下部基板及び前記上部基板に対して垂直方向に配列される垂直配向モードの液晶表示パネルでありうる。
【００３８】
前記表示パネル１１０は、ゲートライン（ＧＬ）、データライン（ＤＬ）、及び複数の画素１２０を含む。前記ゲートライン（ＧＬ）は第１方向（Ｄ１）に延長し、前記第１方向（Ｄ１）に垂直な第２方向（Ｄ２）に配列される。前記データライン（ＤＬ）は前記第２方向（Ｄ２）に延長し、前記第１方向（Ｄ１）に配列される。
【００３９】
図２は、図１の前記画素１２０を示す平面図である。
【００４０】
図２を参照すると、前記画素１２０は薄膜トランジスタ１２１及び画素電極１２３を含む。前記薄膜トランジスタ１２１は、前記ゲートライン（ＧＬ）に電気的に接続されたゲート電極、前記データライン（ＤＬ）に電気的に接続されたソース電極、及び前記画素電極１２３に電気的に接続されたドレーン電極を含む。前記画素電極１２３は、前記薄膜トランジスタ１２１の前記ドレーン電極に電気的に接続される。例えば、前記画素電極１２３は前記薄膜トランジスタ１２１の前記ドレーン電極にコンタクトホールを通じて電気的に接続される。
【００４１】
また、図１を参照すると、前記ゲート駆動部１３０、前記データ駆動部１４０、前記タイミング制御部１５０、及び前記電圧提供部１６０は、前記表示パネル１１０を駆動する表示パネル駆動装置として定義できる。
【００４２】
前記ゲート駆動部１３０は、前記タイミング制御部１５０から提供されるゲート開始信号（ＳＴＶ）及びゲートクロック信号（ＣＬＫ１）に応答してゲート信号（ＧＳ）を生成し、前記ゲート信号（ＧＳ）を前記ゲートライン（ＧＬ）に出力する。前記ゲート駆動部１３０は、前記電圧提供部１６０から提供される第１ゲートオン電圧（ＶＧＯＮ１）、第２ゲートオン電圧（ＶＧＯＮ２）、及びゲートオフ電圧（ＶＧＯＦＦ）を用いて前記ゲート信号（ＧＳ）を生成することができる。
【００４３】
具体的に、前記ゲート駆動部１３０はフレーム期間の第１サブフレーム期間の間、前記第１ゲートオン電圧（ＶＧＯＮ１）を有するゲート信号（ＧＳ）を前記ゲートライン（ＧＬ）に出力し、前記フレーム期間で前記第１サブフレーム期間の次の第２サブフレーム期間の間、前記第２ゲートオン電圧（ＶＧＯＮ２）を有するゲート信号（ＧＳ）を前記ゲートライン（ＧＬ）に出力することができる。ここで、前記第１ゲートオン電圧（ＶＧＯＮ１）のレベル及び前記第２ゲートオン電圧（ＶＧＯＮ２）のレベルは異なる。例えば、前記第２ゲートオン電圧（ＶＧＯＮ２）は前記第１ゲートオン電圧（ＶＧＯＮ１）より低いことがある。これとは異なり、前記第２ゲートオン電圧（ＶＧＯＮ２）は前記第１ゲートオン電圧（ＶＧＯＮ１）より高いことがある。したがって、前記ゲート駆動部１３０は前記フレーム期間で前記第１サブフレーム期間及び前記第２サブフレーム期間の間互いに異なるゲートオン電圧を有するゲート信号（ＧＳ）を前記ゲートライン（ＧＬ）に出力することができる。
【００４４】
前記ゲート駆動部１３０は、電圧選択部１３１を含むことができる。前記電圧選択部１３１は、前記第１サブフレーム及び前記第２サブフレームを示す選択信号（ＳＥＬ）に応答して前記第１ゲートオン電圧（ＶＧＯＮ１）及び前記第２ゲートオン電圧（ＶＧＯＮ２）のうちの１つを選択する。したがって、前記ゲート駆動部１３０は前記第１ゲートオン電圧（ＶＧＯＮ１）及び前記第２ゲートオン電圧（ＶＧＯＮ２）のうちから選択された１つを前記ゲート信号（ＧＳ）として前記ゲートライン（ＧＬ）に出力することができる。
【００４５】
前記データ駆動部１４０は、前記タイミング制御部１５０から提供される前記映像データ（ＤＡＴＡ）を前記データ信号（ＤＳ）に変換し、前記タイミング制御部１５０から提供されるデータ開始信号（ＳＴＨ）及びデータクロック信号（ＣＬＫ２）に応答して、前記データ信号（ＤＳ）を前記データライン（ＤＬ）に出力する。
【００４６】
前記タイミング制御部１５０は、外部から前記映像データ（ＤＡＴＡ）及び制御信号（ＣＯＮ）を受信する。前記制御信号（ＣＯＮ）は、水平同期信号（Ｈｓｙｎｃ）、垂直同期信号（Ｖｓｙｎｃ）、及びクロック信号（ＣＬＫ）を含むことができる。前記タイミング制御部１５０は、前記水平同期信号（Ｈｓｙｎｃ）を用いて前記データ開始信号（ＳＴＨ）を生成した後、前記データ開始信号（ＳＴＨ）を前記データ駆動部１４０に出力する。また、前記タイミング制御部１５０は前記垂直同期信号（Ｖｓｙｎｃ）を用いて前記ゲート開始信号（ＳＴＶ）を生成した後、前記ゲート開始信号（ＳＴＶ）を前記ゲート駆動部１３０に出力する。また、前記タイミング制御部１５０は前記クロック信号（ＣＬＫ）を用いて前記ゲートクロック信号（ＣＬＫ１）及び前記データクロック信号（ＣＬＫ２）を生成した後、前記ゲートクロック信号（ＣＬＫ１）を前記ゲート駆動部１３０に出力し、前記データクロック信号（ＣＬＫ２）を前記データ駆動部１４０に出力する。
【００４７】
前記電圧提供部１６０は、前記ゲート駆動部１３０に前記第１ゲートオン電圧（ＶＧＯＮ１）、前記第２ゲートオン電圧（ＶＧＯＮ２）、及び前記ゲートオフ電圧（ＶＧＯＦＦ）を出力する。
【００４８】
前記光源部１７０は、前記表示パネル１１０に光（Ｌ）を提供する。例えば、前記光源部１７０は発光ダイオード（Ｌｉｇｈｔ  Ｅｍｉｔｔｉｎｇ  Ｄｉｏｄｅ：ＬＥＤ）を含むことができる。
【００４９】
図３は図１の前記ゲート信号（ＧＳ）、前記データ信号（ＤＳ）、及び図２の前記画素電極１２３に充電される充電電圧を示すタイミング図であり、図４は図２の前記画素電極１２３を示す状態図である。
【００５０】
図１から４を参照すると、前記表示パネル１１０に前記映像データ（ＤＡＴＡ）の前記映像が表示されるフレーム期間（ＦＲＡＭＥ）は、第１サブフレーム期間（ＳＦ１）、及び前記第１サブフレーム期間（ＳＦ１）の次の前記第２サブフレーム期間（ＳＦ２）を含むことができる。
【００５１】
前記ゲート駆動部１３０は、前記第１サブフレーム期間（ＳＦ１）の間前記第１ゲートオン電圧（ＶＧＯＮ１）を有するゲート信号（ＧＳ）を出力することができる。また、前記ゲート駆動部１３０は前記第２サブフレーム期間（ＳＦ２）の間前記第２ゲートオン電圧（ＶＧＯＮ２）を有するゲート信号を出力することができる。したがって、前記ゲート信号（ＧＳ）は前記第１サブフレーム期間（ＳＦ１）の間前記第１ゲートオン電圧（ＶＧＯＮ１）を有することができ、前記第２サブフレーム期間（ＳＦ２）の間前記第２ゲートオン電圧（ＶＧＯＮ２）を有することができる。ここで、前記第１ゲートオン電圧（ＶＧＯＮ１）はハイ電圧（ＨＩＧＨ）に相応することができ、前記第２ゲートオン電圧（ＶＧＯＮ２）はロー電圧（ＬＯＷ）に相応することができる。したがって、前記第２ゲートオン電圧（ＶＧＯＮ２）は前記第１ゲートオン電圧（ＶＧＯＮ１）より低いことがある。
【００５２】
前記データ駆動部１４０は、前記第１サブフレーム期間（ＳＦ１）の間前記データ信号（ＤＳ）を出力し、前記第２サブフレーム期間（ＳＦ２）の間前記データ信号（ＤＳ）を出力する。前記データ駆動部１４０が前記第１サブフレーム期間（ＳＦ１）の間前記データライン（ＤＬ）に出力する前記データ信号（ＤＳ）のデータ電圧及び前記データ駆動部１４０が前記第２サブフレーム期間（ＳＦ２）の間前記データライン（ＤＬ）に出力する前記データ信号（ＤＳ）のデータ電圧は同一である。例えば、前記データ駆動部１４０が前記第１サブフレーム期間（ＳＦ１）の間前記データライン（ＤＬ）に出力する前記データ信号（ＤＳ）の前記データ電圧、及び前記データ駆動部１４０が前記第２サブフレーム期間（ＳＦ２）の間前記データライン（ＤＬ）に出力する前記データ信号（ＤＳ）の前記データ電圧はホワイト階調に相応することができる。これとは異なり、前記データ駆動部１４０が前記第１サブフレーム期間（ＳＦ１）の間前記データライン（ＤＬ）に出力する前記データ信号（ＤＳ）の前記データ電圧、及び前記データ駆動部１４０が前記第２サブフレーム期間（ＳＦ２）の間前記データライン（ＤＬ）に出力する前記データ信号（ＤＳ）の前記データ電圧はホワイト階調に隣接した階調に相応することができる。したがって、前記データ駆動部１４０が前記第１サブフレーム期間（ＳＦ１）の間前記データライン（ＤＬ）に出力する前記データ信号（ＤＳ）の前記データ電圧、及び前記データ駆動部１４０が前記第２サブフレーム期間（ＳＦ２）の間前記データライン（ＤＬ）に出力する前記データ信号（ＤＳ）の前記データ電圧はハイ電圧（ＨＩＧＨ）に相応することができる。
【００５３】
前記第１サブフレーム期間（ＳＦ１）の間前記第１ゲートオン電圧（ＶＧＯＮ１）を有する前記ゲート信号（ＧＳ）が前記ゲートライン（ＧＬ）に印加され、前記第２サブフレーム期間（ＳＦ２）の間前記第１ゲートオン電圧（ＶＧＯＮ１）より低い前記第２ゲートオン電圧（ＶＧＯＮ２）を有する前記ゲート信号（ＧＳ）が前記ゲートライン（ＧＬ）に印加されるので、前記第１サブフレーム期間（ＳＦ１）及び前記第２サブフレーム期間（ＳＦ２）の間同一なデータ電圧を有する前記データ信号（ＤＳ）が前記デートライン（ＤＬ）に印加されても、前記第２サブフレーム期間（ＳＦ２）の間前記表示パネル１１０の前記画素電極１２３に充電される前記充電電圧（ＣＶ）は、前記第１サブフレーム期間（ＳＦ１）の間前記画素電極１２３に充電される前記充電電圧（ＣＶ）より低い。したがって、前記第１サブフレーム期間（ＳＦ１）の間前記画素電極１２３に充電される前記充電電圧（ＣＶ）は第１ガンマ曲線に従うハイ電圧（ＨＩＧＨ）に相応することができ、前記第２サブフレーム期間（ＳＦ２）の間前記画素電極１２３に充電される前記充電電圧（ＣＶ）は第２ガンマ曲線に従うロー電圧（ＬＯＷ）に相応することができる。
【００５４】
図５は、図１の前記表示パネル駆動装置により遂行される表示パネル駆動方法を示すフローチャートである。
【００５５】
図１から５を参照すると、前記データ駆動部１４０は前記フレーム期間（ＦＲＡＭＥ）の前記第１サブフレーム期間（ＳＦ１）の間前記データ信号（ＤＳ）を前記表示パネル１１０の前記データライン（ＤＬ）に出力する（Ｓ１１０）。例えば、前記データ駆動部１４０が前記第１サブフレーム期間（ＳＦ１）の間前記データライン（ＤＬ）に出力する前記データ信号（ＤＳ）の前記データ電圧はホワイト階調に相応することができる。これとは異なり、前記データ駆動部１４０が前記第１サブフレーム期間（ＳＦ１）の間前記データライン（ＤＬ）に出力する前記データ信号（ＤＳ）の前記データ電圧はホワイト階調に隣接した階調に相応することができる。
【００５６】
前記ゲート駆動部１３０は、前記第１サブフレーム期間（ＳＦ１）の間前記第１ゲートオン電圧（ＶＧＯＮ１）を有する前記ゲート信号（ＧＳ）を前記表示パネル１１０の前記ゲートライン（ＧＬ）に出力する（Ｓ１２０）。具体的に、前記ゲート駆動部１３０は前記第１サブフレーム期間（ＳＦ１）を示す前記選択信号（ＳＥＬ）に応答して前記電圧提供部１６０から受信した前記第１ゲートオン電圧（ＶＧＯＮ１）及び前記第２ゲートオン電圧（ＶＧＯＮ２）のうち、前記第１ゲートオン電圧（ＶＧＯＮ１）を選択して前記ゲート信号（ＧＳ）として出力する。ここで、前記第１ゲートオン電圧（ＶＧＯＮ１）はハイ電圧（ＨＩＧＨ）に相応することができる。
【００５７】
前記データ駆動部１４０は、前記フレーム期間（ＦＲＡＭＥ）で前記第１サブフレーム期間（ＳＦ１）の次の前記第２サブフレーム期間（ＳＦ２）の間前記データ信号（ＤＳ）を前記表示パネル１１０の前記データライン（ＤＬ）に出力する（Ｓ１３０）。前記データ駆動部１４０が前記第２サブフレーム期間（ＳＦ２）の間前記データライン（ＤＬ）に出力する前記データ信号（ＤＳ）の前記データ電圧は、前記データ駆動部１４０が前記第１サブフレーム期間（ＳＦ１）の間前記データライン（ＤＬ）に出力する前記データ信号（ＤＳ）の前記データ電圧と同一である。したがって、前記データ駆動部１４０が前記第２サブフレーム期間（ＳＦ２）の間前記データライン（ＤＬ）に出力する前記データ信号（ＤＳ）の前記データ電圧はホワイト階調に相応することができる。これとは異なり、前記データ駆動部１４０が前記第２サブフレーム期間（ＳＦ２）の間前記データライン（ＤＬ）に出力する前記データ信号（ＤＳ）の前記データ電圧はホワイト階調に隣接した階調に相応することができる。
【００５８】
前記ゲート駆動部１３０は、前記第２サブフレーム期間（ＳＦ２）の間前記第２ゲートオン電圧（ＶＧＯＮ２）を有する前記ゲート信号（ＧＳ）を前記表示パネル１１０の前記ゲートライン（ＧＬ）に出力する（Ｓ１４０）。具体的に、前記ゲート駆動部１３０は前記第２サブフレーム期間（ＳＦ２）を示す前記選択信号（ＳＥＬ）に応答して前記電圧提供部１６０から受信された前記第１ゲートオン電圧（ＶＧＯＮ１）及び前記第２ゲートオン電圧（ＶＧＯＮ２）のうち、前記第２ゲートオン電圧（ＶＧＯＮ２）を選択して前記ゲート信号（ＧＳ）として出力する。ここで、前記第２ゲートオン電圧（ＶＧＯＮ２）はロー電圧（ＬＯＷ）に相応することができる。したがって、前記第２ゲートオン電圧（ＶＧＯＮ２）は前記第１ゲートオン電圧（ＶＧＯＮ１）より低いことがある。
【００５９】
前記第１サブフレーム期間（ＳＦ１）の間前記第１ゲートオン電圧（ＶＧＯＮ１）を有する前記ゲート信号（ＧＳ）が前記ゲートライン（ＧＬ）に印加され、前記第２サブフレーム期間（ＳＦ２）の間前記第１ゲートオン電圧（ＶＧＯＮ１）より低い前記第２ゲートオン電圧（ＶＧＯＮ２）を有する前記ゲート信号（ＧＳ）が前記ゲートライン（ＧＬ）に印加されるので、前記第１サブフレーム期間（ＳＦ１）及び前記第２サブフレーム期間（ＳＦ２）の間同一なデータ電圧を有する前記データ信号（ＤＳ）が前記デートライン（ＤＬ）に印加されても前記第２サブフレーム期間（ＳＦ２）の間前記表示パネル１１０の前記画素電極１２３に充電される前記充電電圧（ＣＶ）は前記第１サブフレーム期間（ＳＦ１）の間前記画素電極１２３に充電される前記充電電圧（ＣＶ）より低い。したがって、前記第１サブフレーム期間（ＳＦ１）の間前記画素電極１２３に充電される前記充電電圧（ＣＶ）は第１ガンマ曲線に従うハイ電圧（ＨＩＧＨ）に相応することができ、前記第２サブフレーム期間（ＳＦ２）の間前記画素電極１２３に充電される前記充電電圧（ＣＶ）は第２ガンマ曲線に従うロー電圧（ＬＯＷ）に相応することができる。
【００６０】
本実施形態によれば、前記フレーム期間（ＦＲＡＭＥ）の前記第１サブフレーム期間（ＳＦ１）の間前記画素電極１２３にハイ電圧（ＨＩＧＨ）に相応する前記充電電圧（ＣＶ）が充電され、前記フレーム期間（ＦＲＡＭＥ）の前記第２サブフレーム期間（ＳＦ２）の間前記画素電極１２３にロー電圧（ＬＯＷ）に相応する前記充電電圧（ＣＶ）が充電されるので、前記フレーム期間（ＦＲＡＭＥ）の間前記画素電極１２３にハイ電圧（ＨＩＧＨ）に相応する電圧のみ充電される場合に比べて前記表示装置１００の側面視認性を増加させることができる。したがって、前記表示装置１００の表示品質を向上させることができる。
【００６１】
（実施形態２）
図６は、本発明の一実施形態に係る表示装置を示すブロック図である。
【００６２】
図６を参照すると、本実施形態に係る前記表示装置２００は、表示パネル２１０、ゲート駆動部２３０、データ駆動部２４０、タイミング制御部２５０、電圧提供部２６０、及び光源部２７０を含む。
【００６３】
前記表示パネル２１０は、前記タイミング制御部２５０から提供される映像データ（ＤＡＴＡ）に基づくデータ信号（ＤＳ）を受信して映像を表示する。例えば、前記表示パネル２１０は液晶表示パネルでありうる。したがって、前記表示パネル２１０は薄膜トランジスタ及び画素電極を含む下部基板、共通電極を含む上部基板、及び前記下部基板及び前記上部基板の間に介され、液晶を含む液晶層を含むことができる。具体的に、前記表示パネル２１０は前記画素電極及び前記共通電極の間に電場が印加されなければ前記液晶が前記下部基板及び前記上部基板に対して垂直方向に配列される垂直配向モードの液晶表示パネルでありうる。
【００６４】
前記表示パネル２１０は、ゲートライン（ＧＬ）、データライン（ＤＬ）、及び複数の画素２２０を含む。前記ゲートライン（ＧＬ）は第１方向（Ｄ１）に延長し、前記第１方向（Ｄ１）に垂直な第２方向（Ｄ２）に配列される。前記データライン（ＤＬ）は前記第２方向（Ｄ２）に延長し、前記第１方向（Ｄ１）に配列される。
【００６５】
前記画素２２０は、図２の前記画素１２０と実質的に同一である。したがって、前記画素２２０は前記薄膜トランジスタ１２１及び前記画素電極１２３を含む。前記薄膜トランジスタ１２１は、前記ゲートライン（ＧＬ）に電気的に接続された前記ゲート電極、前記データライン（ＤＬ）に電気的に接続された前記ソース電極、及び前記画素電極１２３に電気的に接続された前記ドレーン電極を含む。前記画素電極１２３は、前記薄膜トランジスタ１２１の前記ドレーン電極に電気的に接続される。例えば、前記画素電極１２３は前記薄膜トランジスタ１２１の前記ドレーン電極に前記コンタクトホールを通じて電気的に接続される。
【００６６】
また、図６を参照すると、前記ゲート駆動部２３０、前記データ駆動部２４０、前記タイミング制御部２５０、及び前記電圧提供部２６０は、前記表示パネル２１０を駆動する表示パネル駆動装置として定義できる。
【００６７】
前記ゲート駆動部２３０は、前記タイミング制御部２５０から提供されるゲート開始信号（ＳＴＶ）及びゲートクロック信号（ＣＬＫ１）に応答してゲート信号（ＧＳ）を生成し、前記ゲート信号（ＧＳ）を前記ゲートライン（ＧＬ）に出力する。前記ゲート駆動部２３０は、前記電圧提供部２６０から提供される第１ゲートオン電圧（ＶＧＯＮ１）、第２ゲートオン電圧（ＶＧＯＮ２）、第３ゲートオン電圧（ＶＧＯＮ３）、及びゲートオフ電圧（ＶＧＯＦＦ）を用いて前記ゲート信号（ＧＳ）を生成することができる。
【００６８】
具体的に、前記ゲート駆動部２３０はフレーム期間の第１サブフレーム期間の間前記第１ゲートオン電圧（ＶＧＯＮ１）を有するゲート信号（ＧＳ）を前記ゲートライン（ＧＬ）に出力し、前記フレーム期間で前記第１サブフレーム期間の次の第２サブフレーム期間の間前記第２ゲートオン電圧（ＶＧＯＮ２）を有するゲート信号（ＧＳ）を前記ゲートライン（ＧＬ）に出力し、前記フレーム期間で前記第２サブフレーム期間の次の第３サブフレーム期間の間前記第３ゲートオン電圧（ＶＧＯＮ３）を有するゲート信号（ＧＳ）を前記ゲートライン（ＧＬ）に出力することができる。ここで、前記第１ゲートオン電圧（ＶＧＯＮ１）のレベル、前記第２ゲートオン電圧（ＶＧＯＮ２）のレベル、及び前記第３ゲートオン電圧（ＶＧＯＮ３）のレベルは異なる。例えば、前記第２ゲートオン電圧（ＶＧＯＮ２）は前記第１ゲートオン電圧（ＶＧＯＮ１）より低いことがあり、前記第３ゲートオン電圧（ＶＧＯＮ３）は前記第２ゲートオン電圧（ＶＧＯＮ２）より低いことがある。これとは異なり、前記第２ゲートオン電圧（ＶＧＯＮ２）は前記第１ゲートオン電圧（ＶＧＯＮ１）より高いことがあり、前記第３ゲートオン電圧（ＶＧＯＮ３）は前記第２ゲートオン電圧（ＶＧＯＮ２）より高いことがある。したがって、前記ゲート駆動部２３０は前記フレーム期間で前記第１サブフレーム期間、前記第２サブフレーム期間、及び前記第３サブフレーム期間の間互いに異なるゲートオン電圧を有するゲート信号（ＧＳ）を前記ゲートライン（ＧＬ）に出力することができる。
【００６９】
前記ゲート駆動部２３０は、電圧選択部２３１を含むことができる。前記電圧選択部２３１は、前記第１サブフレーム、前記第２サブフレーム、及び前記第３サブフレームを示す選択信号（ＳＥＬ）に応答して前記第１ゲートオン電圧（ＶＧＯＮ１）、前記第２ゲートオン電圧（ＶＧＯＮ２）、及び前記第３ゲートオン電圧（ＶＧＯＮ３）のうちの１つを選択する。したがって、前記ゲート駆動部２３０は前記第１ゲートオン電圧（ＶＧＯＮ１）、前記第２ゲートオン電圧（ＶＧＯＮ２）、及び前記第３ゲートオン電圧（ＶＧＯＮ３）のうちから選択された１つを前記ゲート信号（ＧＳ）として前記ゲートライン（ＧＬ）に出力することができる。
【００７０】
前記データ駆動部２４０は、前記タイミング制御部２５０から提供される前記映像データ（ＤＡＴＡ）を前記データ信号（ＤＳ）に変換し、前記タイミング制御部２５０から提供されるデータ開始信号（ＳＴＨ）及びデータクロック信号（ＣＬＫ２）に応答して、前記データ信号（ＤＳ）を前記データライン（ＤＬ）に出力する。
【００７１】
前記タイミング制御部２５０は、外部から前記映像データ（ＤＡＴＡ）及び制御信号（ＣＯＮ）を受信する。前記制御信号（ＣＯＮ）は、水平同期信号（Ｈｓｙｎｃ）、垂直同期信号（Ｖｓｙｎｃ）、及びクロック信号（ＣＬＫ）を含むことができる。前記タイミング制御部２５０は、前記水平同期信号（Ｈｓｙｎｃ）を用いて前記データ開始信号（ＳＴＨ）を生成した後、前記データ開始信号（ＳＴＨ）を前記データ駆動部２４０に出力する。また、前記タイミング制御部２５０は前記垂直同期信号（Ｖｓｙｎｃ）を用いて前記ゲート開始信号（ＳＴＶ）を生成した後、前記ゲート開始信号（ＳＴＶ）を前記ゲート駆動部２３０に出力する。また、前記タイミング制御部２５０は前記クロック信号（ＣＬＫ）を用いて前記ゲートクロック信号（ＣＬＫ１）及び前記データクロック信号（ＣＬＫ２）を生成した後、前記ゲートクロック信号（ＣＬＫ１）を前記ゲート駆動部２３０に出力し、前記データクロック信号（ＣＬＫ２）を前記データ駆動部２４０に出力する。
【００７２】
前記電圧提供部２６０は、前記ゲート駆動部２３０に前記第１ゲートオン電圧（ＶＧＯＮ１）、前記第２ゲートオン電圧（ＶＧＯＮ２）、前記第３ゲートオン電圧（ＶＧＯＮ３）、及び前記ゲートオフ電圧（ＶＧＯＦＦ）を出力する。
【００７３】
前記光源部２７０は、前記表示パネル２１０に光（Ｌ）を提供する。例えば、前記光源部２７０は発光ダイオード（Ｌｉｇｈｔ  Ｅｍｉｔｔｉｎｇ  Ｄｉｏｄｅ：ＬＥＤ）を含むことができる。
【００７４】
図７は、図６の前記ゲート信号（ＧＳ）、前記データ信号（ＤＳ）、及び図２の前記画素電極１２３に充電される充電電圧を示すタイミング図であり、図８は図２の前記画素電極１２３を示す状態図である。
【００７５】
図２、及び図６から図８を参照すると、前記表示パネル２１０に前記映像データ（ＤＡＴＡ）の前記映像が表示されるフレーム期間（ＦＲＡＭＥ）は、第１サブフレーム期間（ＳＦ１）、前記第１サブフレーム期間（ＳＦ１）の次の前記第２サブフレーム期間（ＳＦ２）、及び前記第２サブフレーム期間（ＳＦ２）の次の第３サブフレーム期間（ＳＦ３）を含むことができる。
【００７６】
前記ゲート駆動部２３０は、前記第１サブフレーム期間（ＳＦ１）の間前記第１ゲートオン電圧（ＶＧＯＮ１）を有するゲート信号（ＧＳ）を出力することができる。また、前記ゲート駆動部２３０は前記第２サブフレーム期間（ＳＦ２）の間前記第２ゲートオン電圧（ＶＧＯＮ２）を有するゲート信号（ＧＳ）を出力することができる。また、前記ゲート駆動部２３０は前記第３サブフレーム期間（ＳＦ３）の間前記第３ゲートオン電圧（ＶＧＯＮ３）を有するゲート信号（ＧＳ）を出力することができる。したがって、前記ゲート信号（ＧＳ）は前記第１サブフレーム期間（ＳＦ１）の間前記第１ゲートオン電圧（ＶＧＯＮ１）を有することができ、前記第２サブフレーム期間（ＳＦ２）の間前記第２ゲートオン電圧（ＶＧＯＮ２）を有することができ、前記第３サブフレーム期間（ＳＦ３）の間前記第３ゲートオン電圧（ＶＧＯＮ３）を有することができる。ここで、前記第１ゲートオン電圧（ＶＧＯＮ１）はハイ電圧（ＨＩＧＨ）に相応することができ、前記第２ゲートオン電圧（ＶＧＯＮ２）はミドル電圧（ＭＩＤＤＬＥ）に相応することができ、前記第３ゲートオン電圧（ＬＯＷ）はロー電圧（ＬＯＷ）に相応することができる。したがって、前記第２ゲートオン電圧（ＶＧＯＮ２）は前記第１ゲートオン電圧（ＶＧＯＮ１）より低いことがあり、前記第３ゲートオン電圧（ＶＧＯＮ３）は前記第２ゲートオン電圧（ＶＧＯＮ２）より低いことがある。
【００７７】
前記データ駆動部２４０は、前記第１サブフレーム期間（ＳＦ１）の間前記データ信号（ＤＳ）を出力し、前記第２サブフレーム期間（ＳＦ２）の間前記データ信号（ＤＳ）を出力し、前記第３サブフレーム期間（ＳＦ３）間前記データ信号（ＤＳ）を出力する。前記データ駆動部２４０が前記第１サブフレーム期間（ＳＦ１）の間前記データライン（ＤＬ）に出力する前記データ信号（ＤＳ）のデータ電圧、前記データ駆動部２４０が前記第２サブフレーム期間（ＳＦ２）の間前記データライン（ＤＬ）に出力する前記データ信号（ＤＳ）のデータ電圧、及び前記データ駆動部２４０が前記第３サブフレーム期間（ＳＦ３）間前記データライン（ＤＬ）に出力する前記データ信号（ＤＳ）のデータ電圧は同一である。例えば、前記データ駆動部２４０が前記第１サブフレーム期間（ＳＦ１）の間前記データライン（ＤＬ）に出力する前記データ信号（ＤＳ）の前記データ電圧、前記データ駆動部２４０が前記第２サブフレーム期間（ＳＦ２）の間前記データライン（ＤＬ）に出力する前記データ信号（ＤＳ）の前記データ電圧、及び前記データ駆動部２４０が前記第３サブフレーム期間（ＳＦ３）間前記データライン（ＤＬ）に出力する前記データ信号（ＤＳ）の前記データ電圧はホワイト階調に相応することができる。これとは異なり、前記データ駆動部２４０が前記第１サブフレーム期間（ＳＦ１）の間前記データライン（ＤＬ）に出力する前記データ信号（ＤＳ）の前記データ電圧、前記データ駆動部２４０が前記第２サブフレーム期間（ＳＦ２）の間前記データライン（ＤＬ）に出力する前記データ信号（ＤＳ）の前記データ電圧、及び前記データ駆動部２４０が前記第３サブフレーム期間（ＳＦ３）間前記データライン（ＤＬ）に出力する前記データ信号（ＤＳ）の前記データ電圧はホワイト階調に隣接した階調に相応することができる。したがって、前記データ駆動部２４０が前記第１サブフレーム期間（ＳＦ１）の間前記データライン（ＤＬ）に出力する前記データ信号（ＤＳ）の前記データ電圧、前記データ駆動部２４０が前記第２サブフレーム期間（ＳＦ２）の間前記データライン（ＤＬ）に出力する前記データ信号（ＤＳ）の前記データ電圧、及び前記データ駆動部２４０が前記第３サブフレーム期間（ＳＦ３）間前記データライン（ＤＬ）に出力する前記データ信号（ＤＳ）の前記データ電圧はハイ電圧（ＨＩＧＨ）に相応することができる。
【００７８】
前記第１サブフレーム期間（ＳＦ１）の間前記第１ゲートオン電圧（ＶＧＯＮ１）を有する前記ゲート信号（ＧＳ）が前記ゲートライン（ＧＬ）に印加され、前記第２サブフレーム期間（ＳＦ２）の間前記第１ゲートオン電圧（ＶＧＯＮ１）より低い前記第２ゲートオン電圧（ＶＧＯＮ２）を有する前記ゲート信号（ＧＳ）が前記ゲートライン（ＧＬ）に印加され、前記第３サブフレーム期間（ＳＦ３）間前記第２ゲートオン電圧（ＶＧＯＮ２）より低い前記第３ゲートオン電圧（ＶＧＯＮ３）を有する前記ゲート信号（ＧＳ）が前記ゲートライン（ＧＬ）に印加されるので、前記第１サブフレーム期間（ＳＦ１）、前記第２サブフレーム期間（ＳＦ２）、及び前記第３サブフレーム期間（ＳＦ３）間同一なデータ電圧を有する前記データ信号（ＤＳ）が前記デートライン（ＤＬ）に印加されても前記第３サブフレーム期間（ＳＦ３）間前記表示パネル２１０の前記画素電極１２３に充電される前記充電電圧（ＣＶ）は前記第２サブフレーム期間（ＳＦ２）の間前記画素電極１２３に充電される前記充電電圧（ＣＶ）より低く、前記第２サブフレーム期間（ＳＦ２）の間前記表示パネル２１０の前記画素電極１２３に充電される前記充電電圧（ＣＶ）は前記第１サブフレーム期間（ＳＦ１）の間前記画素電極１２３に充電される前記充電電圧（ＣＶ）より低い。したがって、前記第１サブフレーム期間（ＳＦ１）の間前記画素電極１２３に充電される前記充電電圧（ＣＶ）は第１ガンマ曲線に従うハイ電圧（ＨＩＧＨ）に相応することができ、前記第２サブフレーム期間（ＳＦ２）の間前記画素電極１２３に充電される前記充電電圧（ＣＶ）は第２ガンマ曲線に従うミドル電圧（ＭＩＤＤＬＥ）に相応することができ、第３サブフレーム期間（ＳＦ３）間前記画素電極１２３に充電される前記充電電圧（ＣＶ）は第３ガンマ曲線に従うロー電圧（ＬＯＷ）に相応することができる。
【００７９】
図９は、図６の前記表示パネル駆動装置により遂行される表示パネル駆動方法を示すフローチャートである。
【００８０】
図２、及び図６から図９を参照すると、前記データ駆動部２４０は、前記フレーム期間（ＦＲＡＭＥ）の前記第１サブフレーム期間（ＳＦ１）の間前記データ信号（ＤＳ）を前記表示パネル２１０の前記データライン（ＤＬ）に出力する（Ｓ２１０）。例えば、前記データ駆動部２４０が前記第１サブフレーム期間（ＳＦ１）の間前記データライン（ＤＬ）に出力する前記データ信号（ＤＳ）の前記データ電圧はホワイト階調に相応することができる。これとは異なり、前記データ駆動部２４０が前記第１サブフレーム期間（ＳＦ１）の間前記データライン（ＤＬ）に出力する前記データ信号（ＤＳ）の前記データ電圧はホワイト階調に隣接した階調に相応することができる。
【００８１】
前記ゲート駆動部２３０は前記第１サブフレーム期間（ＳＦ１）の間前記第１ゲートオン電圧（ＶＧＯＮ１）を有する前記ゲート信号（ＧＳ）を前記表示パネル２１０の前記ゲートライン（ＧＬ）に出力する（Ｓ２２０）。具体的に、前記ゲート駆動部２３０は前記第１サブフレーム期間（ＳＦ１）を示す前記選択信号（ＳＥＬ）に応答して前記電圧提供部２６０から受信された前記第１ゲートオン電圧（ＶＧＯＮ１）、前記第２ゲートオン電圧（ＶＧＯＮ２）、及び前記第３ゲートオン電圧（ＶＧＯＮ３）のうち、前記第１ゲートオン電圧（ＶＧＯＮ１）を選択して前記ゲート信号（ＧＳ）として出力する。ここで、前記第１ゲートオン電圧（ＶＧＯＮ１）はハイ電圧（ＨＩＧＨ）に相応することができる。
【００８２】
前記データ駆動部２４０は前記フレーム期間（ＦＲＡＭＥ）で前記第１サブフレーム期間（ＳＦ１）の次の前記第２サブフレーム期間（ＳＦ２）の間前記データ信号（ＤＳ）を前記表示パネル２１０の前記データライン（ＤＬ）に出力する（Ｓ２３０）。前記データ駆動部２４０が前記第２サブフレーム期間（ＳＦ２）の間前記データライン（ＤＬ）に出力する前記データ信号（ＤＳ）の前記データ電圧は前記データ駆動部２４０が前記第１サブフレーム期間（ＳＦ１）の間前記データライン（ＤＬ）に出力する前記データ信号（ＤＳ）の前記データ電圧と同一である。したがって、前記データ駆動部２４０が前記第２サブフレーム期間（ＳＦ２）の間前記データライン（ＤＬ）に出力する前記データ信号（ＤＳ）の前記データ電圧はホワイト階調に相応することができる。これとは異なり、前記データ駆動部２４０が前記第２サブフレーム期間（ＳＦ２）の間前記データライン（ＤＬ）に出力する前記データ信号（ＤＳ）の前記データ電圧はホワイト階調に隣接した階調に相応することができる。
【００８３】
前記ゲート駆動部２３０は、前記第２サブフレーム期間（ＳＦ２）の間前記第２ゲートオン電圧（ＶＧＯＮ２）を有する前記ゲート信号（ＧＳ）を前記表示パネル２１０の前記ゲートライン（ＧＬ）に出力する（Ｓ２４０）。具体的に、前記ゲート駆動部２３０は前記第２サブフレーム期間（ＳＦ２）を示す前記選択信号（ＳＥＬ）に応答して前記電圧提供部２６０から受信された前記第１ゲートオン電圧（ＶＧＯＮ１）、前記第２ゲートオン電圧（ＶＧＯＮ２）、及び前記第３ゲートオン電圧（ＶＧＯＮ３）のうち、前記第２ゲートオン電圧（ＶＧＯＮ２）を選択して前記ゲート信号（ＧＳ）として出力する。ここで、前記第２ゲートオン電圧（ＶＧＯＮ２）はミドル電圧（ＭＩＤＤＬＥ）に相応することができる。したがって、前記第２ゲートオン電圧（ＶＧＯＮ２）は、前記第１ゲートオン電圧（ＶＧＯＮ１）より低いことがある。
【００８４】
前記データ駆動部２４０は前記フレーム期間（ＦＲＡＭＥ）で前記第２サブフレーム期間（ＳＦ２）の次の前記第３サブフレーム期間（ＳＦ３）間前記データ信号（ＤＳ）を前記表示パネル２１０の前記データライン（ＤＬ）に出力する（Ｓ２５０）。前記データ駆動部２４０が前記第３サブフレーム期間（ＳＦ３）間前記データライン（ＤＬ）に出力する前記データ信号（ＤＳ）の前記データ電圧は前記データ駆動部２４０が前記第１サブフレーム期間（ＳＦ１）の間前記データライン（ＤＬ）に出力する前記データ信号（ＤＳ）の前記データ電圧、及び前記データ駆動部２４０が前記第２サブフレーム期間（ＳＦ２）の間前記データライン（ＤＬ）に出力する前記データ信号（ＤＳ）の前記データ電圧と同一である。したがって、前記データ駆動部２４０が前記第３サブフレーム期間（ＳＦ３）間前記データライン（ＤＬ）に出力する前記データ信号（ＤＳ）の前記データ電圧はホワイト階調に相応することができる。これとは異なり、前記データ駆動部２４０が前記第３サブフレーム期間（ＳＦ３）間前記データライン（ＤＬ）に出力する前記データ信号（ＤＳ）の前記データ電圧はホワイト階調に隣接した階調に相応することができる。
【００８５】
前記ゲート駆動部２３０は、前記第３サブフレーム期間（ＳＦ３）間前記第３ゲートオン電圧（ＶＧＯＮ３）を有する前記ゲート信号（ＧＳ）を前記表示パネル２１０の前記ゲートライン（ＧＬ）に出力する（Ｓ２６０）。具体的に、前記ゲート駆動部２３０は前記第３サブフレーム期間（ＳＦ３）を示す前記選択信号（ＳＥＬ）に応答して前記電圧提供部２６０から受信された前記第１ゲートオン電圧（ＶＧＯＮ１）、前記第２ゲートオン電圧（ＶＧＯＮ２）、及び前記第３ゲートオン電圧（ＶＧＯＮ３）のうち、前記第３ゲートオン電圧（ＶＧＯＮ２）を選択して前記ゲート信号（ＧＳ）として出力する。ここで、前記第３ゲートオン電圧（ＶＧＯＮ３）はロー電圧（ＬＯＷ）に相応することができる。したがって、前記第３ゲートオン電圧（ＶＧＯＮ３）は前記第２ゲートオン電圧（ＶＧＯＮ２）より低いことがある。
【００８６】
前記第１サブフレーム期間（ＳＦ１）の間前記第１ゲートオン電圧（ＶＧＯＮ１）を有する前記ゲート信号（ＧＳ）が前記ゲートライン（ＧＬ）に印加され、前記第２サブフレーム期間（ＳＦ２）の間前記第１ゲートオン電圧（ＶＧＯＮ１）より低い前記第２ゲートオン電圧（ＶＧＯＮ２）を有する前記ゲート信号（ＧＳ）が前記ゲートライン（ＧＬ）に印加され、前記第３サブフレーム期間（ＳＦ３）間前記第２ゲートオン電圧（ＶＧＯＮ２）より低い前記第３ゲートオン電圧（ＶＧＯＮ３）を有する前記ゲート信号（ＧＳ）が前記ゲートライン（ＧＬ）に印加されるので、前記第１サブフレーム期間（ＳＦ１）、前記第２サブフレーム期間（ＳＦ２）、及び前記第３サブフレーム期間（ＳＦ３）間同一なデータ電圧を有する前記データ信号（ＤＳ）が前記デートライン（ＤＬ）に印加されても、前記第３サブフレーム期間（ＳＦ３）間前記表示パネル２１０の前記画素電極１２３に充電される前記充電電圧（ＣＶ）は前記第２サブフレーム期間（ＳＦ２）の間前記画素電極１２３に充電される前記充電電圧（ＣＶ）より低く、前記第２サブフレーム期間（ＳＦ２）の間前記表示パネル２１０の前記画素電極１２３に充電される前記充電電圧（ＣＶ）は前記第１サブフレーム期間（ＳＦ１）の間前記画素電極１２３に充電される前記充電電圧（ＣＶ）より低い。したがって、前記第１サブフレーム期間（ＳＦ１）の間前記画素電極１２３に充電される前記充電電圧（ＣＶ）は第１ガンマ曲線に従うハイ電圧（ＨＩＧＨ）に相応することができ、前記第２サブフレーム期間（ＳＦ２）の間前記画素電極１２３に充電される前記充電電圧（ＣＶ）は第２ガンマ曲線に従うミドル電圧（ＭＩＤＤＬＥ）に相応することができ、前記第３サブフレーム期間（ＳＦ３）間前記画素電極１２３に充電される前記充電電圧（ＣＶ）は第３ガンマ曲線に従うロー電圧（ＬＯＷ）に相応することができる。
【００８７】
本実施形態では、前記フレーム期間（ＦＲＡＭＥ）が３個の前記第１サブフレーム期間（ＳＦ１）、前記第２サブフレーム期間（ＳＦ２）、及び前記第３サブフレーム期間（ＳＦ３）を含み、前記ゲート駆動部２３０が３個の前記第１サブフレーム期間（ＳＦ１）、前記第２サブフレーム期間（ＳＦ２）、及び前記第３サブフレーム期間（ＳＦ３）の間、３個の前記第１ゲートオン電圧（ＶＧＯＮ１）、前記第２ゲートオン電圧（ＶＧＯＮ２）、及び前記第３ゲートオン電圧（ＶＧＯＮ３）を含む前記ゲート信号（ＧＳ）を前記ゲートライン（ＧＳ）に出力するが、これに限定するものではない。例えば、前記フレーム期間（ＦＲＡＭＥ）はＮ（Ｎは自然数）個のサブフレーム期間を含むことができ、前記ゲート駆動部２３０は前記Ｎ個のサブフレーム期間の間Ｎ個の互いに異なるゲートオン電圧を有するゲート信号を前記ゲートライン（ＧＳ）に出力することができる。
【００８８】
本実施形態によれば、前記フレーム期間（ＦＲＡＭＥ）の前記第１サブフレーム期間（ＳＦ１）の間前記画素電極１２３にハイ電圧（ＨＩＧＨ）に相応する前記充電電圧（ＣＶ）が充電され、前記フレーム期間（ＦＲＡＭＥ）の前記第２サブフレーム期間（ＳＦ２）の間前記画素電極１２３にミドル電圧（ＭＩＤＤＬＥ）に相応する前記充電電圧（ＣＶ）が充電され、前記フレーム期間（ＦＲＡＭＥ）の前記第３サブフレーム期間（ＳＦ３）の間前記画素電極１２３にロー電圧（ＬＯＷ）に相応する前記充電電圧（ＣＶ）が充電されるので、前記フレーム期間（ＦＲＡＭＥ）の間前記画素電極１２３にハイ電圧（ＨＩＧＨ）に相応する電圧のみ充電される場合に比べて前記表示装置２００の側面視認性を増加させることができる。したがって、前記表示装置２００の表示品質を向上させることができる。
【産業上の利用可能性】
【００８９】
以上、説明したように、表示パネル駆動装置、これを用いた表示パネル駆動方法、及びこれを含む表示装置によれば、表示装置の側面視認性を増加させることができ、これによって、前記表示装置の表示品質を向上させることができる。
【００９０】
以上、実施形態を参照して説明したが、該当技術分野の熟練した当業者は特許請求範囲に記載された本発明の思想及び領域から逸脱しない範囲内で本発明を多様に修正及び変更させることができることを理解することができる。
【符号の説明】
【００９１】
１００、２００    表示装置
１１０、２１０    表示パネル
１２０、２２０    画素
１３０、２３０    ゲート駆動部
１３１、２３１    電圧選択部
１４０、２４０    データ駆動部
１５０、２５０    タイミング制御部
１６０、２６０    電圧提供部
１７０、２７０    光源部
【図１】
2016224425.tif 000003
【図２】
2016224425.tif 000004
【図３】
2016224425.tif 000005
【図４】
2016224425.tif 000006
【図５】
2016224425.tif 000007
【図６】
2016224425.tif 000008
【図７】
2016224425.tif 000009
【図８】
2016224425.tif 000010
【図９】
2016224425.tif 000011